(57)【特許請求の範囲】
【請求項１】
一方向に向けて開口する凹所を有した基板ケースに基板を取り付ける基板取付構造であって、
前記基板ケースの凹所の両内側部のそれぞれに、前記凹所の底面から浮かせるようにして引掛片部を設ける一方、前記基板の両外側部のそれぞれに、前記引掛片部のそれぞれを前記一方向に沿って受け入れ可能な切欠部を設けるとともに、これら切欠部に隣接させて前記引掛片部のそれぞれに係止される引掛突起を設け、
前記基板ケースの各引掛片部と前記基板の各切欠部とを前記一方向に沿って重合させた状態で前記基板ケースの開口から前記基板を前記一方向に沿って前記凹所内に嵌め込み、当該基板をスライドさせることで、前記引掛片部のそれぞれに前記引掛突起のそれぞれを係止させて前記基板を取り付ける構造とされており、
前記基板ケースの引掛片部と前記基板の引掛突起とは、それぞれの両側部にスライド方向に沿って複数箇所に設けられており、これら引掛片部と引掛突起とは、スライド方向先端側及びスライド方向末端側のうちの一方側の引掛突起が他方側の引掛突起よりも先に前記基板ケースの引掛片部に係止される構造とされていることを特徴とする基板取付構造。
【請求項２】
請求項１において、
前記基板のスライド方向先端側の引掛突起がスライド方向末端側の引掛突起よりも先に前記基板ケースの引掛片部に係止される構造とされていることを特徴とする基板取付構造。
【請求項３】
一方向に向けて開口する凹所を有した基板ケースに、発光素子が実装された基板を取り付ける基板取付構造であって、
前記基板ケースの凹所の両内側部のそれぞれに、前記凹所の底面から浮かせるようにして引掛片部を設ける一方、前記基板の両外側部のそれぞれに、前記引掛片部のそれぞれを前記一方向に沿って受け入れ可能な切欠部を設けるとともに、これら切欠部に隣接させて前記引掛片部のそれぞれに係止される引掛突起を設け、
前記基板ケースの各引掛片部と前記基板の各切欠部とを前記一方向に沿って重合させた状態で前記基板ケースの開口から前記基板を前記一方向に沿って前記凹所内に嵌め込み、当該基板をスライドさせることで、前記引掛片部のそれぞれに前記引掛突起のそれぞれを係止させて前記基板を取り付ける構造とされており、
前記基板及び前記基板ケースには、前記基板がスライドされて前記基板ケースに取り付けられた際に互いに当接する当接部が設けられており、
前記基板ケースの凹所の両内側部のそれぞれに設けられた引掛片部に隣接するスライド方向逆側の前記凹所の底面に一対の貫通孔を設け、これら一対の貫通孔に、前記発光素子に対向配置されるレンズ部を有した導光部材の両側部に前記基板ケースの凹所に向けて突出するように形成され、前記基板の引掛突起のスライド方向逆側への移動を防止する一対の係止突起を係止させる構造とされていることを特徴とする基板取付構造。
【請求項４】
請求項３において、
前記導光部材の一対の係止突起の基端部には、当該導光部材と前記基板に形成されたパターンとの接触を防止するように、前記基板の縁部に当接する突部がそれぞれに設けられていることを特徴とする基板取付構造。
【発明の詳細な説明】
【技術分野】
【０００１】
本発明は、基板ケースに基板を取り付ける基板取付構造に関する。
【背景技術】
【０００２】
従来、基板ケースに基板を取り付ける構造としては、ネジ等の止具で固定して取り付ける構造とされていた。
しかしながら、近年においては、基板に実装される電子部品の小型化が進み、基板自体の小型化も望まれているが、ネジ等の止具で取り付ける構造とした場合には、止具の止着スペース及び作業スペースを確保する必要があり、改善が望まれていた。また、作業性の観点からも改善が望まれていた。
下記特許文献１では、プリント基板を被固定体に固定するプリント基板固定構造が提案されている。この固定構造では、被固定体にプリント基板の周縁部をスライド挿入する溝を設けた構造とし、この溝の一端に戻り防止部としての一対の爪を各々形成した構造としている。
【先行技術文献】
【特許文献】
【０００３】
【特許文献１】特開平４−３６３０９８号公報
【発明の概要】
【発明が解決しようとする課題】
【０００４】
しかしながら、上記特許文献１に記載された固定構造では、被固定体の溝に対して基板を比較的に大きくスライドさせる必要があった。また、被固定体の溝の一端に設けられた一対の爪が挿入時に常時、プリント基板の表裏に摺るようにして接触し、挿入時における作業性の改善が望まれていた。
【０００５】
本発明は、上記実情に鑑みてなされたものであり、基板ケースに基板を取り付ける際における作業性を向上し得る基板取付構造を提供することを目的としている。
【課題を解決するための手段】
【０００６】
上記目的を達成するために、本発明に係る基板取付構造は、一方向に向けて開口する凹所を有した基板ケースに基板を取り付ける基板取付構造であって、前記基板ケースの凹所の両内側部のそれぞれに、前記凹所の底面から浮かせるようにして引掛片部を設ける一方、前記基板の両外側部のそれぞれに、前記引掛片部のそれぞれを前記一方向に沿って受け入れ可能な切欠部を設けるとともに、これら切欠部に隣接させて前記引掛片部のそれぞれに係止される引掛突起を設け、前記基板ケースの各引掛片部と前記基板の各切欠部とを前記一方向に沿って重合させた状態で前記基板ケースの開口から前記基板を前記一方向に沿って前記凹所内に嵌め込み、当該基板をスライドさせることで、前記引掛片部のそれぞれに前記引掛突起のそれぞれを係止させて前記基板を取り付ける構造とされており、前記基板ケースの引掛片部と前記基板の引掛突起とは、それぞれの両側部にスライド方向に沿って複数箇所に設けられており、これら引掛片部と引掛突起とは、スライド方向先端側及びスライド方向末端側のうちの一方側の引掛突起が他方側の引掛突起よりも先に前記基板ケースの引掛片部に係止される構造とされていることを特徴とする。
【０００７】
本発明においては、前記基板のスライド方向先端側の引掛突起がスライド方向末端側の引掛突起よりも先に前記基板ケースの引掛片部に係止される構造としてもよい。
また、上記目的を達成するために、本発明に係る基板取付構造は、一方向に向けて開口する凹所を有した基板ケースに、発光素子が実装された基板を取り付ける基板取付構造であって、前記基板ケースの凹所の両内側部のそれぞれに、前記凹所の底面から浮かせるようにして引掛片部を設ける一方、前記基板の両外側部のそれぞれに、前記引掛片部のそれぞれを前記一方向に沿って受け入れ可能な切欠部を設けるとともに、これら切欠部に隣接させて前記引掛片部のそれぞれに係止される引掛突起を設け、前記基板ケースの各引掛片部と前記基板の各切欠部とを前記一方向に沿って重合させた状態で前記基板ケースの開口から前記基板を前記一方向に沿って前記凹所内に嵌め込み、当該基板をスライドさせることで、前記引掛片部のそれぞれに前記引掛突起のそれぞれを係止させて前記基板を取り付ける構造とされており、前記基板及び前記基板ケースには、前記基板がスライドされて前記基板ケースに取り付けられた際に互いに当接する当接部が設けられており、前記基板ケースの凹所の両内側部のそれぞれに設けられた引掛片部に隣接するスライド方向逆側の前記凹所の底面に一対の貫通孔を設け、これら一対の貫通孔に、前記発光素子に対向配置されるレンズ部を有した導光部材の両側部に前記基板ケースの凹所に向けて突出するように形成され、前記基板の引掛突起のスライド方向逆側への移動を防止する一対の係止突起を係止させる構造とされていることを特徴とする。
本発明においては、前記導光部材の一対の係止突起の基端部に、当該導光部材と前記基板に形成されたパターンとの接触を防止するように、前記基板の縁部に当接する突部をそれぞれに設けるようにしてもよい。
【発明の効果】
【０００８】
本発明に係る基板取付構造は、上述のような構成としたことで、基板ケースに基板を取り付ける際における作業性を向上させることができる。
【図面の簡単な説明】
【０００９】
【図１】（ａ）〜（ｄ）は、いずれも本発明の一実施形態に係る基板取付構造の一例を模式的に示し、（ａ）は、概略分解側面図、（ｂ）は、（ａ）におけるＸ１−Ｘ１線矢視に対応させた概略縦断面図、（ｃ）は、概略側面図、（ｄ）は、（ｃ）におけるＸ２−Ｘ２線矢視に対応させた概略縦断面図である。
【図２】（ａ）〜（ｄ）は、いずれも同基板取付構造の組み付け工程を説明するための説明図であり、（ａ）、（ｃ）は、それぞれ組み付け工程を示す概略側面図、（ｂ）は、（ａ）におけるＸ３−Ｘ３線矢視に対応させた概略縦断面図、（ｄ）は、（ｃ）におけるＸ４−Ｘ４線矢視に対応させた概略縦断面図である。
【図３】（ａ）〜（ｃ）は、いずれも本発明の他の実施形態に係る基板取付構造の一例を模式的に示し、（ａ）は、概略斜視図、（ｂ）は、（ａ）におけるＺ部に対応させた一部破断概略拡大斜視図、（ｃ）は、（ｂ）に対応させた他方向から見た概略拡大斜視図である。
【図４】（ａ）は、図３（ｂ）に対応させた概略拡大分解斜視図、（ｂ）は、図３（ｃ）に対応させた概略拡大分解斜視図、（ｃ）は、概略側面図、（ｄ）は、（ｃ）におけるＹ−Ｙ線矢視に対応させた概略横断面図である。
【発明を実施するための形態】
【００１０】
以下に本発明の実施の形態について、図面に基づいて説明する。
なお、一部の図では、他図に付している詳細な符号の一部を省略している。
また、以下の各実施形態では、図１に示す状態を基準として上下方向を説明し、また、図１（ａ）に示す右側を前側、左側を後側（背面側）、手前側を側方側として説明する。
また、図１（ｂ）、（ｄ）及び図２（ｂ）、（ｄ）では、伝熱シートを含む基板を背面側から見た一側面図として図示しており、また、図１（ｄ）及び図２（ｂ）、（ｄ）では、基板に実装された電子部品等を二点鎖線で示している。また、図４（ｃ）では、導光部材を二点鎖線で示している。
【００１１】
図１及び図２は、第１実施形態に係る基板取付構造の一例について説明するための概念的な説明図である。
本実施形態に係る基板取付構造１は、図１に示すように、一方向（側方）に向けて開口する凹所１１を有した基板ケース１０に基板（プリント基板）２０を取り付ける構造とされている。本実施形態では、詳細については後述するが、基板ケース１０の凹所１１内に基板２０を上記一方向に沿って嵌め込み、基板２０を下方側に向けてスライドさせることで当該基板２０を基板ケース１０に取り付ける構造とされている（図２も参照）。
【００１２】
基板ケース１０は、図１（ａ）、（ｂ）に示すように、前後に対向するように形成された内側部１２，１２と、これら内側部１２，１２の下端を接続するように形成された下内側部１５と、底部１６とを有している。これら前後の内側部１２，１２、下内側部１５及び底部１６によって上記一方向（側方）及び上方に向けて開口する凹所１１を区画している。
両内側部１２，１２には、凹所１１の底面となる底部１６から浮かせるようにして引掛片部１３，１４が設けられている。引掛片部１３，１４は、各内側部１２，１２から対向側（前後方向中心側）に向けて突出するように形成された突片状（リブ状）とされている。
これら両内側部１２，１２に設けられた引掛片部１３，１４は、本実施形態では、各内側部１２，１２において、基板２０のスライド方向（上下方向）に間隔を空けて複数箇所（図例では、二箇所）に設けられている。図例では、各内側部１２，１２のそれぞれに下側引掛片部１３及び上側引掛片部１４を設けた例を示している。これら下側引掛片部１３及び上側引掛片部１４は、本実施形態では、各内側部１２，１２において対向するように上下のそれぞれが略同高さ位置に設けられている。
【００１３】
また、本実施形態では、図１（ｂ）に示すように、これら引掛片部１３，１４のスライド方向逆側（受け入れ側、上側）で底部１６側の縁部に面取り状の傾斜面１３ａ，１４ａをそれぞれに設けている。
なお、基板ケース１０は、基板２０に実装される各種電子部品等からの伝熱性を向上させ、放熱性を向上させる観点等からアルミニウム等の金属系材料から形成されたものとしてもよい。
また、図１及び図２において符号１２ａは、基板ケース１０の両内側部１２，１２のそれぞれに設けられたリブ（ガイドリブ）で、符号１７，１７は、基板ケース１０の底部１６に設けられた貫通孔である。これらリブ１２ａ及び貫通孔１７については後記する第２実施形態において説明する。また、本実施形態では、これらリブ１２ａ及び貫通孔１７を設けないようにしてもよい。
【００１４】
基板２０は、基板ケース１０の凹所１１に対応させて略矩形状の薄平板状とされており、その前後の外側部のそれぞれには、複数の切欠部２１，２３と、基板ケース１０の引掛片部１３，１４に係止される複数の引掛突起２２，２４とが設けられている。
切欠部２１，２３は、基板ケース１０の両内側部１２，１２に設けられた引掛片部１３，１４を上記一方向（凹所１１の側方開口方向）に沿って受け入れ可能なように形成されている。図例では、基板ケース１０の両内側部１２，１２の下側引掛片部１３，１３を受け入れ可能なように形成された下側切欠部２１，２１と、基板ケース１０の両内側部１２，１２の上側引掛片部１４，１４を受け入れ可能なように形成された上側切欠部２３，２３とからなる。
【００１５】
引掛突起２２，２４は、各切欠部２１，２３のスライド方向逆側（上側）に隣接して形成されており、各外側部から前後方向外方側に向けて突出するように形成された突片状（リブ状）とされている。
また、これら引掛突起２２，２４は、本実施形態では、基板ケース１０の引掛片部１３，１４に対応させて、各外側部において、上下方向に間隔を空けて複数箇所（図例では、二箇所）に設けられている。図例では、各外側部のそれぞれに基板ケース１０の下側引掛片部１３に係止される下側引掛突起２２及び基板ケース１０の上側引掛片部１４に係止される上側引掛突起２４を設けた例を示している。これら下側引掛突起２２及び上側引掛突起２４は、基板ケース１０の引掛片部１３，１４と同様、各外側部において上下のそれぞれが略同高さ位置に設けられている。
【００１６】
本実施形態では、これら基板２０の引掛突起２２，２４と、上記した基板ケース１０の引掛片部１３，１４とは、スライド方向（上下方向）に沿って段階的に係止するように形成されている。また、本実施形態では、基板２０のスライド方向先端側となる下側引掛突起２２，２２がスライド方向末端側となる上側引掛突起２４，２４よりも先に基板ケース１０の引掛片部１３，１３に係止されるように形成されている。つまり、各引掛片部１３，１４の係止始端となるスライド方向逆側（上側）の縁部間の上下方向に沿う寸法よりも各引掛突起２２，２４の係止始端となるスライド方向先側（下側）の縁部間の上下方向に沿う寸法を大きく形成している。この寸法差は余りにも大きすぎればスライド量が大きくなる傾向があるので、数ｍｍ程度としてもよく、例えば、１〜３ｍｍ程度としてもよい。
【００１７】
基板２０の両外側部に設けられた引掛突起２２，２４は、後記するように基板ケース１０に取り付けられた状態では、図１（ｃ）に示すように、各外方側端面が基板ケース１０の各内側部１２，１２に近接乃至は当接して配置される。また、この状態では、基板２０の下端部２５が、基板ケース１０の下内側部１５に当接して下方側への移動が規制される。
なお、基板２０は、基板ケース１０と同様、放熱性を向上させる観点等からアルミニウム等の金属系材料から形成されたものとしてもよく、絶縁層等を積層した多層構造としてもよい。
また、図１及び図２において、符号２３ａは、基板ケース１０の貫通孔１７に対応させた切欠部であり、これについては後記する第２実施形態において説明する。また、本実施形態では、この切欠部２３ａを設けないようにしてもよい。
【００１８】
基板２０の表面側（側方側）には、発光素子としてのＬＥＤ（発光ダイオード）２６やコネクター２７などの電子部品が実装されている。図例では、上下方向に複数（図例では、４つ）のＬＥＤ２６を実装した例を示している。なお、ＬＥＤ２６としては、図例のような発光素子（ＬＥＤ素子）を樹脂等で封止した砲弾型のものに限られず、他形状のものとしてもよく、表面実装型のものを採用するようにしてもよい。このような発光素子を実装した基板２０を基板ケース１０に取り付ける基板取付構造１は、照明装置（発光装置）の一部に適用することができる。
【００１９】
また、本実施形態では、基板２０の裏面側（底部１６側）に、伝熱（放熱）シート２９を貼着している。この伝熱シート２９としては、熱伝導性の良いシリコーンゲル等のゲルシートやシリコーンシート、その他の樹脂シートを採用するようにしてもよい。本実施形態では、少なくとも厚さ方向（上記一方向と同方向）に圧縮変形（弾性変形）し得る樹脂シートを採用している。このような伝熱シート２９を基板２０の裏面側に貼着することで、当該伝熱シート２９が基板２０の裏面と基板ケース１０の底部１６との間のスペーサーとして機能し、基板２０と基板ケース１０とを当該伝熱シート２９を介して熱伝導的に密着させることができる。従って、基板２０に実装された電子部品等の熱を効率的に基板ケース１０側に伝熱させ、放熱させることができる。
なお、基板ケース１０の各引掛片部１３，１４の底部１６からの浮き寸法（上記一方向に沿う寸法）は、伝熱シート２９が基板ケース１０の底部１６に弾接し得るように、基板２０の厚さ寸法や伝熱シート２９の厚さ寸法、圧縮変形量等を考慮して設定するようにしてもよい。
【００２０】
上記構成とされた基板２０及び基板ケース１０は、以下のようにして組み付けられ、基板ケース１０に対して基板２０が取り付けられる構造とされている。
まず、図１（ａ）、（ｂ）に示すように、基板ケース１０の各引掛片部１３，１４と、基板２０の各切欠部２１，２３とを上記一方向に沿って重合させた状態で、基板ケース１０の凹所１１の開口から基板２０を上記一方向に沿って凹所１１内に嵌め込む（図２（ａ）も参照）。
そして、図２（ａ）、（ｂ）に示すように、基板２０の裏面側を基板ケース１０の底部１６に押し付け、伝熱シート２９を押し潰すようにして圧縮させ、基板２０を上記嵌め込み方向に略直交する下方側に向けてスライドさせる。
【００２１】
上記スライドによって、図２（ｃ）、（ｄ）に示すように、まず、基板２０のスライド方向先端側の下側引掛突起２２，２２が基板ケース１０の下側引掛片部１３，１３に係止される。この状態からさらに基板２０を下方側に向けてスライドさせることで、図１（ｃ）、（ｄ）に示すように、基板２０のスライド方向末端側の上側引掛突起２４，２４が基板ケース１０の上側引掛片部１４，１４に係止される。また、基板２０の下端部２５が基板ケース１０の下内側部１５に当接し、基板２０が基板ケース１０に取り付けられる。
この状態では、基板２０の前後方向への移動は、基板ケース１０の凹所１１の両内側部１２，１２によって規制される。
また、基板２０の下方向への移動は、基板ケース１０の下内側部１５によって規制される。つまり、本実施形態では、基板ケース１０の下内側部１５及び基板２０の下端部２５が、基板２０が基板ケース１０に取り付けられた際に互いに当接する当接部としてそれぞれ機能する。なお、基板ケース１０及び基板２０の当接部としては、これに限られず、基板２０の引掛突起のスライド方向先端面（下端面）を基板２０の当接部とし、これに対応させた当接部を基板ケース１０の内側部等に設けるようにしてもよい。
また、基板２０の上記一方向への移動は、基板ケース１０の引掛片部１３，１４によって規制される。
【００２２】
以上のように上記構成とされた本実施形態に係る基板取付構造１によれば、基板ケース１０に基板２０を取り付ける際における作業性を向上させることができる。
つまり、基板２０を上記一方向に沿って基板ケース１０の凹所１１内に嵌め込み、当該基板２０をスライドさせることで、基板ケース１０の引掛片部１３，１４のそれぞれに基板２０の引掛突起２２，２４のそれぞれを係止させて基板２０を取り付ける構造としている。従って、ネジ等の止着作業が不要となり、小型化が図れるとともに、基板ケース１０に対する基板２０のスライド量を比較的に小さくでき、基板ケース１０に基板２０を取り付ける際における作業性を向上させることができる。
【００２３】
また、本実施形態のように、基板２０の裏面側に、表面側に実装されるＬＥＤ２６等の電子部品の放熱のための伝熱シート２９を貼着しているような場合にも好適に採用することができる。つまり、このような伝熱シート２９を設けた場合にスライド量が大きくなる構造を採用すれば、伝熱シート２９の剥がれやよじれ等が生じることが考えられる。上記構成とされた本実施形態に係る基板取付構造１によれば、基板２０のスライド量を比較的に小さくできるので、基板２０の裏面側に貼着された伝熱シート２９の剥がれやよじれ等を防止することができる。
また、このような圧縮変形する伝熱シート２９を設けることで、その復元力により、当該伝熱シート２９が基板ケース１０の底部１６に弾性的に接する。従って、この伝熱シート２９が基板２０の移動を防止する抜止部材としても機能し、これと基板ケース１０との摩擦抵抗乃至は面圧によって基板２０を基板ケース１０に対して強固に取り付けることができる。
【００２４】
また、本実施形態では、基板ケース１０及び基板２０の両側部（両内側部、両外側部）のそれぞれにスライド方向に沿って複数箇所に引掛片部１３，１４及び引掛突起２２，２４を設けているので、基板２０を基板ケース１０に対してより強固に取り付けることができる。また、本実施形態では、これら引掛片部１３，１４と引掛突起２２，２４とがスライド方向に沿って段階的に係止する構造とされているので、例えば、これらが同時に係止するものと比べて、取り付け時における作業性を向上させることができる。特に、上記のように基板２０の裏面側に伝熱シート２９を設けた場合には、伝熱シート２９を圧縮させながらスライドさせる必要があるが、このような段階的に係止する構造とすることで、比較的にスムーズに取り付けることができる。
さらに、本実施形態では、基板２０のスライド方向先端側の下側引掛突起２２をスライド方向末端側の上側引掛突起２４よりも先に基板ケース１０の引掛片部（下側引掛片部１３）に係止させる構造としている。従って、逆側を先に係止させる構造とした場合よりもスライド方向先端側が浮くようなことを防止でき、より作業性を向上させることができる。
【００２５】
さらにまた、本実施形態では、基板ケース１０の各引掛片部１３，１４のそれぞれに、傾斜面１３ａ，１４ａを設けているので、これらが基板２０の引掛突起２２，２４の誘い（ガイド部）として機能し、より作業性を向上させることができる。なお、基板ケース１０の引掛片部１３，１４にガイド部（傾斜面１３ａ，１４ａ）を設ける態様に代えて、または加えて、基板２０の各引掛突起２２，２４のスライド方向先端側（下側）で表面側（反底部１６側）の縁部に上記同様のガイド部を設けるようにしてもよい。
なお、本実施形態に係る基板取付構造１を適用して基板２０を基板ケース１０に取り付けた後、適宜の透光性乃至は透明のカバー部材によってカバーすることで、照明装置（発装置）とされるものとしてもよい。
また、本実施形態では、発光素子を実装した基板２０を基板ケース１０に取り付ける構造とした例を示しているが、発光素子に限られず、他の電子部品が実装されたものにも本実施形態に係る基板取付構造１の適用が可能である。
【００２６】
次に、本発明に係る他の実施の形態について、図面を参照しながら説明する。
図３及び図４は、第２実施形態に係る基板取付構造の一例について説明するための概念的な説明図である。
なお、上記第１実施形態との相違点について主に説明し、同様の構成については、同一符号を付し、その説明を省略または簡略に説明する。
【００２７】
本実施形態に係る基板取付構造１Ａは、基板２０のスライド方向逆側への移動を防止する抜止部材をさらに設けている点が上記第１実施形態とは主に異なる。
本実施形態では、基板ケース１０に設けた貫通孔１７，１７に、基板２０の下側引掛突起２２，２２のスライド方向逆側への移動を防止する抜止部材３６，３６を係止させる構造としている。
基板ケース１０の貫通孔１７，１７は、図４（ｃ）に示すように、基板ケース１０の下側引掛片部１３，１３に側面視（上記一方向に沿って見た状態）において隣接するスライド方向逆側の底部１６に上記一方向に沿って貫通形成されている（図１（ａ）も参照）。
また、基板ケース１０の貫通孔１７，１７に側面視において隣接するスライド方向逆側の両内側部１２，１２には、抜止部材３６，３６をガイドするガイド部としてのガイドリブ１２ａ，１２ａがそれぞれに設けられている。これらガイドリブ１２ａ，１２ａは、各内側部１２，１２から対向側（前後方向中心側）に向けて突出するように形成され、上記一方向に沿って設けられている。
基板２０は、その下側引掛突起２２，２２のスライド方向逆側に、基板ケース１０に設けられた貫通孔１７、１７に対応させた切欠部２３ａ，２３ａを設けている。なお、この切欠部２３ａ，２３ａは、上記した上側切欠部２３，２３として一連に形成するようにしてもよい。
【００２８】
抜止部材３６，３６は、本実施形態では、図４に示すように、光源としてのＬＥＤ２６に対向配置されるレンズ部３４を有した導光部材３０の両側部に基板ケース１０の凹所１１に向けて突出するように形成された一対の係止突起３６，３６とされている。
導光部材３０は、図３（ａ）に示すように、本実施形態では、上記一方向に沿って長尺の導光板３１を備え、その長手方向一端部に入光部としてのレンズ部３４を設けた、いわゆるエッジライト方式の構造とされている。この導光部材３０は、アクリル樹脂等の透光性乃至は透明の樹脂系材料から一体的に形成されている。
【００２９】
導光板３１は、下面側に照射面（出射面）３２を有し、上面側に導光面３３を有した構造とされ、ＬＥＤ２６から出射され、レンズ部３４から入射された光を長手方向に沿って導光しながら照射面３２から照射する構造とされている。図例では、レンズ部３４から入射された光が下面側の照射面３２から長手方向に略均一に照射されるように、導光板３１の上面側の導光面３３を、上記一端部から他端部に向かうに従い下方側に傾斜するように形成している。
なお、導光板３１の上面側に、長手方向に沿って間隔を空けて前後方向に沿う複数の導光溝を設けるようにしてもよい。この場合、レンズ部３４から入射された光が下面側の照射面３２から長手方向に沿って略均一に照射されるように、導光板３１の他端部に向かうに従い導光溝を設ける間隔（ピッチ）を小さくするようにしてもよい。
【００３０】
レンズ部３４は、図３（ｂ）及び図４（ａ）に示すように、導光板３１の一端部から基板ケース１０の凹所１１に向けて突出するように形成されている。このレンズ部３４は、図例では、基板２０に設けられた上下に複数のＬＥＤ２６に対応させて縦断面形状が上下に長い略長円形状（略角丸長方形状）とされている。また、このレンズ部３４の入射端面には、図４（ｂ）、（ｄ）に示すように、ＬＥＤ２６を受け入れる凹部３５が形成されている。このレンズ部３４は、ＬＥＤ２６から出射された光を集光（集束）乃至は拡散（発散）させ、導光板３１に入射させる構造とされている。
また、このレンズ部３４の凹所１１側の端部には、前後の外側部に付設されるようにして、一対の係止突起３６，３６が設けられている。これら一対の係止突起３６，３６の突出方向先端には、図３（ｃ）及び図４（ｄ）に示すように、基板ケース１０の貫通孔１７，１７の孔縁に係止する係止爪３７，３７がそれぞれに設けられている。
また、これら一対の係止突起３６，３６の突出方向基端部には、図４（ｂ）、（ｄ）に示すように、当該導光部材３０と基板２０に形成されたパターン（回路）２８との接触を防止するように、基板２０の前後の各縁部に当接する突部３８，３８がそれぞれに設けられている。
【００３１】
上記構成とされた導光部材３０は、上記第１実施形態において説明したように組み付けられた基板２０及び基板ケース１０に対して、以下のようにして組み付けられ、取り付けられる。
図４（ａ）、（ｂ）に示すように、導光部材３０の一端部のレンズ部３４を基板ケース１０の凹所１１に対向配置させ、上記一方向に沿って一対の係止突起３６，３６を、基板ケース１０の一対の貫通孔１７，１７に挿入する。この際、本実施形態では、一対の係止突起３６，３６を基板ケース１０の両内側部１２，１２に設けられたガイドリブ１２ａ，１２ａに添わせるようにして挿入することができるので、スムーズに挿入することができる。
これら一対の係止突起３６，３６の弾性変形を伴いながら一対の貫通孔１７，１７に挿入し、これらの先端の係止爪３７，３７を各貫通孔１７，１７の孔縁に係止させ、当該導光部材３０を組み付ける（図３（ｃ）及び図４（ｄ）参照）。この状態では、これら一対の係止突起３６，３６の各基端部に形成された突部３８，３８が基板２０の前後の各縁部に当接する。また、この状態では、図４（ｃ）に示すように、基板ケース１０の各貫通孔１７，１７に挿入された一対の係止突起３６，３６が基板２０の下側引掛突起２２，２２のスライド方向逆側の縁部に近接乃至は当接して配置される。
【００３２】
以上のように上記構成とされた本実施形態に係る基板取付構造１Ａによれば、より強固に基板ケース１０に対して基板２０を取り付けることができる。
つまり、基板ケース１０の一対の貫通孔１７，１７に係止された一対の係止突起３６，３６によって閂状の構造となり、基板２０の下側引掛突起２２，２２のスライド方向逆側（上側）への移動が規制される。従って、より強固に基板２０を基板ケース１０に取り付けることができる。
【００３３】
また、本実施形態では、基板２０のスライド方向逆側への移動を防止する抜止部材を、基板２０のＬＥＤ２６に対向配置されるレンズ部３４を有した導光部材３０の両側部に設けた一対の係止突起３６，３６としている。従って、これら一対の係止突起３６，３６が基板２０の抜止部材として機能するとともに、基板２０に実装されたＬＥＤ２６とレンズ部３４との位置決め部材としても機能する。この結果、導光部材３０のレンズ部３４の位置決めのために他の部材や止具等を用いる必要がなく、効率的に小型化を図ることができ、作業性を向上させることができる。
さらに、本実施形態では、これら一対の係止突起３６，３６の基端部に、当該導光部材３０と基板２０に形成されたパターン２８との接触を防止するように、基板２０の縁部に当接する突部３８，３８をそれぞれに設けている。従って、基板２０に形成されたパターン２８に導光部材３０が接触することを防止することができる。
【００３４】
なお、本実施形態では、基板２０のスライド方向逆側への移動を防止する抜止部材３６，３６を設けているので、基板２０の裏面側に伝熱シート２９を設けないようにしてもよい。
また、本実施形態では、導光部材３０の長手方向一端部に一対の係止突起３６，３６を設けた例を示しているが、長手方向他端部にもレンズ部３４及び一対の係止突起３６，３６を設け、この他端部にも基板ケース１０及び基板２０を取り付けるようにしてもよい。
さらに、抜止部材を一体的に形成した導光部材としては、長尺の導光板を備えた構造とされたものに限られず、他の形状とされた導光部材としてもよい。
さらにまた、基板ケース１０に取り付けられた基板２０の移動を防止する態様としては、上記した例に限られない。上述のように基板２０及び基板ケース１０に、基板２０がスライドされて基板ケース１０に取り付けられた際に互いに当接する当接部を設けた構造としてもよい。そして、基板ケース１０の引掛片部の少なくとも一つに隣接するスライド方向逆側の凹所１１の底部１６に貫通孔１７を設け、この貫通孔１７に、基板２０のいずれかの引掛突起のスライド方向逆側への移動を防止する抜止部材３６を係止させる構造としてもよい。この場合、導光部材３０に一体的に形成された抜止部材とせずに別部材とされた抜止部材を採用するようにしてもよい。例えば、カバー部材等に一体的に上記のような抜止部材を形成するようにしてもよく、または別途、専用の抜止部材を設ける態様としてもよい。
【００３５】
さらには、強固な固定が不要な場合や上記各実施形態に係る基板取付構造１，１Ａが適用される装置等の配設態様等によって基板２０の移動が規制されるような場合には、このような抜止部材３６や伝熱シート２９を設けない態様としてもよい。例えば、上述のように基板２０の両外側部と基板ケース１０の両内側部とを当接させたり、基板２０のスライド方向先端部と基板ケース１０の凹所１１の一内側面とを当接させたりする構造とすることでも配設態様等によっては、基板２０の移動を防止することはできる。
【００３６】
また、上記各実施形態では、基板ケース１０の小型化や基板２０のスライド時の作業性を向上させる観点等から、基板ケース１０の凹所１１をスライド方向逆側の上方にも開口したものとした例を示しているが、上記一方向に沿ってのみ開口した凹所１１としてもよい。この場合、基板ケース１０の凹所１１内において基板２０をスライドできるように凹所１１のスライド方向に沿う寸法を形成するようにすればよい。
さらに、上記各実施形態では、基板２０のスライド方向先端側の下側引掛突起２２がスライド方向末端側の上側引掛突起２４よりも先に基板ケース１０の引掛片部（下側引掛片部１３）に係止される構造としているが、逆側が先に係止される構造としてもよい。さらには、これらが略同時に係止される構造としてもよい。
【００３７】
さらにまた、上記各実施形態では、基板ケース１０の上下の引掛片部１３，１４及び基板２０の上下の引掛突起２２，２４を、各側部において上下のそれぞれが略同高さ位置となるように形成した例を示しているが、このような態様に限られない。例えば、これらを各側部において異なる高さ位置、つまり、千鳥状となるように形成するようにしてもよい。
さらには、上記各実施形態では、基板ケース１０及び基板２０の各側部のそれぞれに複数の引掛片部１３，１４並びに複数の切欠部２１，２３及び引掛突起２２，２４を設けた例を示しているが、これらの各側部に単一の引掛片部並びに切欠部及び引掛突起を対応させて設ける態様としてもよい。
また、上記において説明した上下や前後等の方向は便宜的に示したもので、上記各実施形態に係る基板取付構造１，１Ａが用いられる装置等の配設態様によっては、これらの方向は限定されるものではない。
【符号の説明】
【００３８】
１，１Ａ    基板取付構造
１０        基板ケース
１１        凹所
１２        内側部
１３        下側引掛片部（引掛片部）
１４        上側引掛片部（引掛片部）
１５        下内側部（当接部）
１６        底部（底面）
１７        貫通孔
２０        基板
２１        下側切欠部（切欠部）
２２        下側引掛突起（引掛突起（スライド方向先端側の引掛突起））
２３        上側切欠部（切欠部）
２４        上側引掛突起（引掛突起（スライド方向末端側の引掛突起））
２５        下端部（当接部）
２６        ＬＥＤ（発光素子）
２８        パターン
３０        導光部材
３４        レンズ部
３６        係止突起（抜止部材）
３８        突部
【図１】
0005587715.tif 000002
【図２】
0005587715.tif 000003
【図３】
0005587715.tif 000004
【図４】
0005587715.tif 000005